(57)【要約】  カードリーダ（１）は、磁気カード（２１）が挿入される挿入口（２２）と、挿入口（２２）から挿入された磁気カード（２１）を搬送する搬送手段（２５〜２８）と、搬送される磁気カード（２１）からデータを読み取る磁気ヘッド（２９）と、挿入口（２２）付近に設けられる磁界発生部（８）とを備える。磁界発生部（８）の前方には、磁性体（３６）が設けられており、磁界発生部（８）から発生する妨害磁界が、磁性体（３６）を介して前方へ偏在することにより、パネル（２００）の前面に取り付けられた不正読取装置（３００）に強い妨害磁界が作用する。一方、磁界発生部（８）の後方には、磁性体が設けられていないため、妨害磁界が後方へ延びることはなく、磁気ヘッド（２９）は、妨害磁界に影響されずに磁気カード（２１）のデータを読み取ることができる。
2013030876.tif 000002
【特許請求の範囲】
【請求項１】
磁気記録媒体が挿入される挿入口と、
前記挿入口から挿入された磁気記録媒体を搬送する搬送手段と、
前記搬送手段により搬送される磁気記録媒体からデータを読み取る磁気ヘッドと、
前記挿入口付近に設けられ、当該挿入口の前方に取り付けられる不正読取装置によって前記磁気記録媒体のデータが読み取られるのを妨害する妨害磁界を発生する磁界発生部と、を備えた磁気記録媒体読取装置において、
前記磁界発生部から発生する妨害磁界を偏在させて、前記磁気ヘッドに及ばないようにするための磁性体またはループアンテナを設けたことを特徴とする磁気記録媒体読取装置。
【請求項２】
請求項１に記載の磁気記録媒体読取装置において、
前記磁界発生部の前方に前記磁性体が設けられており、
前記磁界発生部から発生する妨害磁界が、前記磁性体を介して前方へ偏在することを特徴とする磁気記録媒体読取装置。
【請求項３】
請求項１に記載の磁気記録媒体読取装置において、
前記磁界発生部の前方に前記ループアンテナが設けられており、
前記磁界発生部から発生する妨害磁界に基づき、電磁誘導により前記ループアンテナに更に妨害磁界が発生することによって、妨害磁界が前方へ偏在することを特徴とする磁気記録媒体読取装置。
【請求項４】
請求項１に記載の磁気記録媒体読取装置において、
前記磁界発生部の前方に前記ループアンテナが設けられており、
前記磁界発生部から発生する妨害磁界に基づき、磁気共鳴により前記ループアンテナに更に妨害磁界が発生することによって、妨害磁界が前方へ偏在することを特徴とする磁気記録媒体読取装置。
【請求項５】
請求項３または請求項４に記載の磁気記録媒体読取装置において、
前記ループアンテナに磁性体が挿入されていることを特徴とする磁気記録媒体読取装置。
【請求項６】
請求項３ないし請求項５のいずれかに記載の磁気記録媒体読取装置において、
前記ループアンテナが発生する妨害磁界の周波数は、前記磁界発生部が発生する妨害磁界の周波数よりも低い周波数であることを特徴とする磁気記録媒体読取装置。
【請求項７】
請求項１に記載の磁気記録媒体読取装置において、
前記磁界発生部の後方に前記磁性体が設けられており、
前記磁性体は、前記磁気ヘッドの近傍に配置されていることを特徴とする磁気記録媒体読取装置。
【請求項８】
請求項７に記載の磁気記録媒体読取装置において、
前記磁性体は、前記磁気ヘッドと対向して設けられたローラの一部であることを特徴とする磁気記録媒体読取装置。
【請求項９】
請求項７に記載の磁気記録媒体読取装置において、
前記磁性体は、前記磁気ヘッドと対向して、当該磁気ヘッドの片側または両側に配置されていることを特徴とする磁気記録媒体読取装置。
【請求項１０】
請求項１に記載の磁気記録媒体読取装置において、
前記磁性体が、前記磁界発生部の前方および後方に設けられていることを特徴とする磁気記録媒体読取装置。
【請求項１１】
請求項１に記載の磁気記録媒体読取装置において、
前記ループアンテナが、前記磁界発生部の前方に設けられており、
前記磁性体が、前記磁界発生部の後方に設けられていることを特徴とする磁気記録媒体読取装置。
【発明の詳細な説明】
【技術分野】
【０００１】
本発明は、磁気記録媒体に記録されたデータを読み取る装置に関し、特に、データの不正取得を防止する機能を備えた磁気記録媒体読取装置に関する。
【背景技術】
【０００２】
ＡＴＭ（Automated  Teller  Machine：現金自動預け払機）やＣＤ（Cash  Dispenser：現金自動支払機）などの取引処理装置には、磁気カードを読み取るカードリーダが搭載されている。このような取引処理装置において、最近では、磁気カードがカードリーダに挿入される際に、カードの磁気ストライプに記録されたデータを不正に取得するスキミングと呼ばれる犯罪が発生している。【０００３】
典型的なスキミングの例として、磁気ヘッドを備えた不正読取装置を、ＡＴＭやＣＤに備わるカードリーダのカード挿入口の付近に設置し、この不正読取装置の磁気ヘッドにより、カードリーダに挿入される磁気カードのデータを不正に取得する方法がある。【０００４】
上記のようなスキミングに対しては、これまでにも種々の対策が提案されている。例えば、後掲の特許文献１には、カード挿入口の近傍に妨害磁界発生器を設けたカードリーダが記載されている。このカードリーダにおいては、妨害磁界発生器により、カード挿入口の外側領域に妨害磁界が発生する。このため、カード挿入口の外側に不正読取装置が取り付けられたとしても、当該装置で読み取ったデータは、妨害磁界の影響を受けて、カードに記録された元のデータとは異なるデータとなる。これにより、カードのデータが不正に取得されるのを防止することができる。【０００５】
また、後掲の特許文献２には、カード挿入口の周囲に、妨害磁界を発生させるためのループアンテナを配設したカードリーダが記載されている。ループアンテナのアンテナ面は、カード挿入口の前面と平行になっている。このカードリーダにおいても、カード挿入口の外側領域に妨害磁界が発生するので、カード挿入口の外側に不正読取装置が取り付けられたとしても、カードのデータが不正に取得されるのを防止することができる。【０００６】
図１９は、妨害磁界発生器を備えたカードリーダの一例を示している。カードリーダ１の筐体１００の前面に、カード挿入口ユニット２４が設けられている。カード挿入口ユニット２４には、磁気カード２１が挿入される挿入口２２が形成されている。挿入口２２の付近には、妨害磁界発生器３５が設けられている。筐体１００の内部には、磁気カード２１のデータを読み取る磁気ヘッド２９が設けられている。カードリーダ１は、取引処理装置のパネル２００の内側に配設されている。妨害磁界発生器３５の発生する妨害磁界は、パネル２００の前面に取り付けられる不正読取装置３００に作用し、Ａ方向に挿入される磁気カード２１からデータが不正取得されるのを阻止する。
【先行技術文献】
【特許文献】
【０００７】
【特許文献１】特開２００１−６７５２４号公報
【特許文献２】特許第４４２５６７４号公報
【発明の概要】
【発明が解決しようとする課題】
【０００８】
図１９に示したカードリーダ１において、不正読取装置３００におけるスキミングを確実に防止するために、妨害磁界の強度を強くすればするほど、妨害磁界発生器３５の後方側に生じる磁界の強度も強くなるので、筐体１００内の磁気ヘッド２９へ妨害磁界が及んで、データの読取性能が低下するという問題がある。【０００９】
そこで、本発明の目的は、不正読取装置に対して強い妨害磁界を作用させつつも、妨害磁界が磁気ヘッドへ及ばないようにすることで、データの読取性能が低下しないようにした磁気記録媒体読取装置を提供することにある。
【課題を解決するための手段】
【００１０】
本発明に係る磁気記録媒体読取装置は、磁気記録媒体が挿入される挿入口と、この挿入口から挿入された磁気記録媒体を搬送する搬送手段と、この搬送手段により搬送される磁気記録媒体からデータを読み取る磁気ヘッドと、挿入口付近に設けられ、当該挿入口の前方に取り付けられる不正読取装置によって磁気記録媒体のデータが読み取られるのを妨害する妨害磁界を発生する磁界発生部とを備えており、また、磁界発生部から発生する妨害磁界を偏在させて、磁気ヘッドに及ばないようにするための磁性体またはループアンテナが設けられる。【００１１】
このように構成したことにより、磁界発生部から発生する妨害磁界が、磁性体やループアンテナの働きによって偏在するので、妨害磁界が磁気ヘッドに及ばなくなる。このため、磁気ヘッドでは、妨害磁界に影響されずに磁気記録媒体のデータを読み取ることができ、データの読取性能が低下することが回避される。【００１２】
本発明では、磁界発生部の前方に磁性体を設け、磁界発生部から発生する妨害磁界が、磁性体を介して前方へ偏在するようにしてもよい。【００１３】
本発明では、磁界発生部の前方にループアンテナを設け、磁界発生部から発生する妨害磁界に基づき、電磁誘導によりループアンテナに更に妨害磁界が発生することによって、妨害磁界が前方へ偏在するようにしてもよい。【００１４】
本発明では、磁界発生部の前方にループアンテナを設け、磁界発生部から発生する妨害磁界に基づき、磁気共鳴によりループアンテナに更に妨害磁界が発生することによって、妨害磁界が前方へ偏在するようにしてもよい。【００１５】
本発明では、ループアンテナに磁性体が挿入されていてもよい。【００１６】
本発明では、ループアンテナが発生する妨害磁界の周波数は、磁界発生部が発生する妨害磁界の周波数よりも低い周波数であってもよい。【００１７】
本発明では、磁界発生部の後方に磁性体を設け、この磁性体を、磁気ヘッドの近傍に配置してもよい。この場合、磁性体は、磁気ヘッドと対向して設けられたローラの一部を構成するものであってもよい。また、磁性体は、磁気ヘッドと対向して、当該磁気ヘッドの片側または両側に配置されていてもよい。【００１８】
本発明では、磁性体を、磁界発生部の前方および後方に設けてもよい。【００１９】
本発明では、ループアンテナを磁界発生部の前方に設け、磁性体を磁界発生部の後方に設けてもよい。
【発明の効果】
【００２０】
本発明によれば、不正読取装置に対して強い妨害磁界を作用させても、妨害磁界が磁気ヘッドへ及ばないので、データの読取性能が低下しない磁気記録媒体読取装置を提供することができる。
【図面の簡単な説明】
【００２１】
【図１】図１は、本発明の実施形態に係るカードリーダの電気的構成を示したブロック図である。
【図２】図２は、第１実施形態によるカードリーダの側面断面図および正面図である。
【図３】図３は、磁気カードの平面図である。
【図４】図４は、第１実施形態における妨害磁界の分布を示した図である。
【図５】図５は、磁気ストライプの検出を説明するための波形図である。
【図６】図６は、第２実施形態によるカードリーダの側面断面図である。
【図７】図７は、第２実施形態における妨害磁界の分布を示した図である。
【図８】図８は、第３実施形態における妨害磁界の分布を示した図である。
【図９】図９は、磁気共鳴を説明するための回路図である。
【図１０】図１０は、第４実施形態によるカードリーダの側面断面図である。
【図１１】図１１は、第４実施形態における妨害磁界の分布を示した図である。
【図１２】図１２は、第５実施形態によるカードリーダの側面断面図およびローラの側面断面図である。
【図１３】図１３は、第５実施形態における妨害磁界の分布を示した図である。
【図１４】図１４は、第６実施形態における妨害磁界の分布を示した要部拡大図である。
【図１５】図１５は、第７実施形態によるカードリーダの側面断面図である。
【図１６】図１６は、第８実施形態によるカードリーダの側面断面図である。
【図１７】図１７は、第９実施形態によるカードリーダの側面断面図である。
【図１８】図１８は、第１０実施形態によるカードリーダの側面断面図である。
【図１９】図１９は、従来のカードリーダの側面断面図である。
【発明を実施するための形態】
【００２２】
以下、本発明の実施形態について、図面を参照しながら説明する。各図において、同一符号は、同一部分または対応部分を表している。
【００２３】
（第１実施形態）
まず、図１および図２を参照して、第１実施形態によるカードリーダの構成について説明する。
【００２４】
図１に示すように、本実施形態によるカードリーダ１は、装置全体の動作を制御するＣＰＵからなる制御部２と、磁気カードに記録されている磁気データを読み取る磁気情報読取部３と、磁気カードを搬送するカード搬送部４と、磁気カードを検出するカード検出センサ５と、磁気情報読取部３で読み取った磁気データを記憶するメモリ６と、上位装置（例えばＡＴＭ）との接続部であるホストインターフェース７と、磁気カードの磁気ストライプを検出する磁気ストライプ検出部１０と、磁気ストライプに記録されたデータの読み取りを妨げるための妨害磁界を発生する磁界発生部８とを備えている。
【００２５】
制御部２は、磁界発生部８を制御する磁界制御部９と、カード搬送部４を制御するカード搬送制御部１２とを含む。磁気ストライプ検出部１０および磁界発生部８は、カード挿入口ユニット２４内に設置されている。磁気ストライプ検出部１０は、後述する磁気ヘッド３４（図２）を含む。
【００２６】
図２（ａ）に示すように、カードリーダ１の筐体１００の前面には、カード挿入口ユニット２４が設けられている。カード挿入口ユニット２４には、磁気カード（以下、単に「カード」という。）２１が挿入される挿入口２２が形成されている。カード２１は、図３に示すように、磁気ストライプ２１ａを有している。図３は、カード２１を裏面から見た図である。挿入口２２の付近には、挿入されたカード２１を検出するカード挿入検出センサ２３と、カード２１の磁気ストライプ２１ａを検出する磁気ヘッド３４と、妨害磁界を発生する磁界発生部８とが設けられている。
【００２７】
磁界発生部８は、例えば、鉄心と、これに巻回されたコイルとから構成される。図２（ｂ）からわかるように、磁界発生部８は、挿入口２２に向って、磁気ストライプ検出用の磁気ヘッド３４側に設けられている。
【００２８】
カードリーダ１の筐体１００の内部には、搬送ローラ２５〜２８、カード位置検出センサ３０〜３３、磁気ヘッド２９が設けられている。搬送ローラ２５〜２８は、それぞれ搬送路Ｐを挟んで１対設けられており、１対のローラでカード２１を挟持して搬送する。これらの搬送ローラ２５〜２８は、搬送ベルト（図示省略）を介して、モータ（図示省略）に連結されている。１対の搬送ローラのうち、一方はモータの回転力が伝達される駆動ローラであり、他方はこの駆動ローラに従動して回転する従動ローラである。搬送ローラ２５〜２８は、上記の搬送ベルトおよびモータとともに、カード搬送部４（図１）を構成する。カード搬送部４は、本発明における「搬送手段」の一例である。
【００２９】
カード位置検出センサ３０〜３３は、透過型の光センサであり、それぞれ、搬送路Ｐを挟んで対向する発光部と受光部を有している。これらのセンサ３０〜３３の配置間隔は、磁気カード２１の搬送方向の長さよりも短くなっている。センサ３０は、挿入口２２に最も近い搬送ローラ２５にカード２１が挟持されたことを検出する。センサ３３は、挿入されたカード２１が、カードを一時的に貯留する貯留部（図示省略）に達したことを検出する。センサ３１、３２は、搬送中のカード２１の位置を検出する。これらのカード位置検出センサ３０〜３３は、前記のカード挿入検出センサ２３とともに、カード検出センサ５（図１）を構成する。
【００３０】
磁気ヘッド２９は、搬送ローラ２６と搬送ローラ２７との間で、搬送路Ｐの下側に設けられている。この磁気ヘッド２９は、挿入されたカード２１が搬送路Ｐを搬送される過程で、カード２１の磁気ストライプ２１ａに記録されているデータを読み取る。前述の磁気ヘッド３４が、磁気ストライプに記録されているデータの有無を検出するための磁気ヘッドであるのに対し、磁気ヘッド２９は、磁気ストライプに記録されているデータそのものを再生するための磁気ヘッドである。磁気ヘッド２９とセンサ３３との間隔は、カード２１の搬送方向の長さよりも少し長くなっている。したがって、カード２１が貯留部に達した際、すなわち、カード２１の先端がセンサ３３の位置に達した際には、磁気ヘッド２９は、カード２１に記録されているデータの読み取りを完了している。
【００３１】
カードリーダ１は、取引処理装置のパネル２００の内側に配設されている。パネル２００の開口からＡ方向に挿入されたカード２１は、カードリーダ１の挿入口２２へ導かれる。磁界発生部８の前方で、パネル２００とカード挿入口ユニット２４との間には、フェライトや鉄のような透磁率の高い材料からなる磁性体３６が配設されている。この磁性体３６は、例えば、パネル２００に設けられた支持部材（図示省略）に取り付けられている。カードリーダ１と磁性体３６により、本発明の磁気記録媒体読取装置が構成される。
【００３２】
次に、図２（ａ）のように、パネル２００の前面に磁気ヘッドを含む不正読取装置３００が取り付けられた場合のスキミング対策について説明する。
【００３３】
磁界制御部９（図１）の制御に基づき、磁界発生部８に駆動電流が流れると、磁界発生部８は、妨害磁界を発生させる。本実施形態では、磁界発生部８に継続して駆動電流を流すことで、磁界発生部８は常時、妨害磁界を発生している。磁界発生部８で発生した妨害磁界は、図４の破線で示すように、一種の導波路となる磁性体３６に導かれて、前方（Ｘ方向）へ延び、不正読取装置３００に作用する。このため、不正読取装置３００で読み取ったデータは、妨害磁界の影響を受けて、カード２１に記録された元のデータとは異なるデータとなる。これにより、カード２１のデータが不正に取得されるのを防止することができる。
【００３４】
一方、磁界発生部８で発生した妨害磁界は、磁界発生部８の後方（Ｙ方向）にも存在する。しかしながら、磁界発生部８の後方には、磁性体が設けられていないため、妨害磁界は磁性体を介して後方へ延びることはない。このため、妨害磁界が、磁気データ読取用の磁気ヘッド２９に及ぶことがなく、磁気ヘッド２９は、妨害磁界に影響されずにカード２１のデータを読み取ることができる。
【００３５】
このように、第１実施形態においては、磁界発生部８の前方に磁性体３６を設けたことにより、磁界発生部８で発生した妨害磁界が、磁性体３６を介して前方へ偏在することとなる。この結果、妨害磁界の強度は、前方が強く、後方が弱いものとなる。したがって、パネル２００の前面に取り付けられた不正読取装置３００に対しては、強い妨害磁界を作用させることで、スキミングを確実に防止することができ、また、カードリーダ１内の磁気ヘッド２９に対しては、妨害磁界が及ばないようにして、データの読取性能が低下するのを回避することができる。
【００３６】
また、磁界発生部８で発生した妨害磁界は、磁気ストライプ検出用の磁気ヘッド３４にも作用する。このため、磁気ヘッド３４にリード線を介して不正読取装置が接続された場合でも、データが不正に取得されるのを防止することができる。なお、妨害磁界が常時磁気ヘッド３４に作用しても、磁気ヘッド３４は磁気データそのものを再生する必要はないので、例えば、磁気ストライプ２１ａの検出の前後で検出信号のパターンが異なることを利用して、磁気ストライプ２１ａを検出することができる。これを図５で説明する。
【００３７】
図５（ａ）は、磁界発生部８に流れる駆動電流の波形である。磁界発生部８からは、この駆動電流に応じた妨害磁界が発生する。図５（ｂ）は、妨害磁界が存在しない場合に、磁気ヘッド３４から出力される検出信号の波形である。図５（ｃ）は、妨害磁界が存在する場合に、磁気ヘッド３４から出力される検出信号の波形であり、図５（ａ）と図５（ｂ）とを合成した波形となる。図５（ｃ）からわかるように、磁気ストライプが検出された時刻ｔの前と後とでは、検出信号のパターンが異なる。したがって、このパターンの変化を以って、磁気ストライプの検出が可能となる。
【００３８】
（第２実施形態）
次に、本発明の第２実施形態について説明する。なお、第２実施形態におけるカードリーダの電気的構成については、図１と同じであるので、説明を省略する。
【００３９】
図６は、第２実施形態によるカードリーダを示している。前記の第１実施形態（図２）では、磁界発生部８の前方に、磁性体３６が設けられていた。これに対して、第２実施形態では、磁界発生部８の前方に、ループアンテナ３７が設けられている。このループアンテナ３７も、磁性体３６と同様に、パネル２００に設けられた支持部材（図示省略）に取り付けられている。カードリーダ１とループアンテナ３７により、本発明の磁気記録媒体読取装置が構成される。その他の構成に関しては、図２と同じであるので、重複部分の説明を省略する。
【００４０】
磁界発生部８からは、常時、妨害磁界が発生している。本実施形態では、磁界発生部８で発生した妨害磁界（１次妨害磁界）が、図７の破線で示すように、ループアンテナ３７と鎖交する。このため、ループアンテナ３７において、電磁誘導により、一点鎖線で示すような妨害磁界（２次妨害磁界）が発生する。そして、１次妨害磁界が不正読取装置３００に届かなくても、２次妨害磁界が不正読取装置３００に作用する。このため、不正読取装置３００で読み取ったデータは、２次妨害磁界の影響を受けて、カード２１に記録された元のデータとは異なるデータとなる。これにより、カード２１のデータが不正に取得されるのを防止することができる。
【００４１】
一方、磁界発生部８で発生した１次妨害磁界は、磁界発生部８の後方（Ｙ方向）にも存在する。しかしながら、磁界発生部８の後方には、磁性体やループアンテナが設けられていないため、１次妨害磁界は後方へ延びることはない。このため、１次妨害磁界が、磁気データ読取用の磁気ヘッド２９に及ぶことがなく、磁気ヘッド２９は、１次妨害磁界に影響されずにカード２１のデータを読み取ることができる。なお、磁気ストライプ検出用の磁気ヘッド３４に対する１次妨害磁界の影響については、第１実施形態の場合と同じである。
【００４２】
このように、第２実施形態においては、磁界発生部８の前方にループアンテナ３７を設け、磁界発生部８で発生した１次妨害磁界に基づいて、ループアンテナ３７で電磁誘導による２次妨害磁界を発生させる。この結果、１次妨害磁界が、見掛け上、ループアンテナ３７を介して前方へ偏在することとなる。本発明でいう「偏在」は、このような見掛け上の偏在も含む。この結果、妨害磁界の強度は、前方が強く、後方が弱いものとなる。したがって、パネル２００の前面に取り付けられた不正読取装置３００に対しては、強い妨害磁界を作用させることで、スキミングを確実に防止することができ、また、カードリーダ１内の磁気ヘッド２９に対しては、妨害磁界が及ばないようにして、データの読取性能が低下するのを回避することができる。
【００４３】
（第３実施形態）
次に、本発明の第３実施形態について説明する。なお、第３実施形態におけるカードリーダの構成については、図１および図６と同じであるので、説明を省略する。
【００４４】
第３実施形態では、第２実施形態（図６）と同様に、磁界発生部８の前方に、ループアンテナ３７が設けられる。但し、第２実施形態の場合は、電磁誘導によりループアンテナ３７に２次妨害磁界を発生させたのに対し、第３実施形態の場合は、磁気共鳴によりループアンテナ３７に２次妨害磁界を発生させる。
【００４５】
磁気共鳴は、図９に示すように、同じ共振周波数を有する２つの共振回路を近づけて配置したとき、一方の共振回路の共振により発生した磁場の振動が他方の共振回路に伝わり、他方の共振回路が共振して同じ周波数の磁場の振動を発生させる現象である。
【００４６】
図８は、第３実施形態における妨害磁界の分布を示している。磁界発生部８からは、常時、破線で示す１次妨害磁界が発生している。本実施形態では、磁気共鳴を利用するので、１次妨害磁界はループアンテナ３７と鎖交する必要はない。磁界発生部８で共振により１次妨害磁界が発生すると、磁気共鳴によりループアンテナ３７が共振し、ループアンテナ３７において、一点鎖線で示すような２次妨害磁界が発生する。そして、この２次妨害磁界が不正読取装置３００に作用する。このため、第２実施形態の場合と同様に、不正読取装置３００によりカード２１のデータが不正に取得されるのを防止することができる。
【００４７】
一方、磁界発生部８で発生した１次妨害磁界は、磁界発生部８の後方（Ｙ方向）にも存在する。しかしながら、磁界発生部８の後方には、磁性体やループアンテナが設けられていないため、１次妨害磁界は後方へ延びることはない。このため、第２実施形態の場合と同様に、磁気ヘッド２９は、１次妨害磁界に影響されずにカード２１のデータを読み取ることができる。なお、磁気ストライプ検出用の磁気ヘッド３４に対する１次妨害磁界の影響については、第１実施形態の場合と同じである。
【００４８】
このように、第３実施形態においては、磁界発生部８の前方にループアンテナ３７を設け、磁界発生部８で発生した１次妨害磁界に基づいて、ループアンテナ３７で磁気共鳴による２次妨害磁界を発生させる。この結果、１次妨害磁界が、見掛け上、ループアンテナ３７を介して前方へ偏在することとなる。この結果、妨害磁界の強度は、前方が強く、後方が弱いものとなる。したがって、パネル２００の前面に取り付けられた不正読取装置３００に対しては、強い妨害磁界を作用させることで、スキミングを確実に防止することができ、また、カードリーダ１内の磁気ヘッド２９に対しては、妨害磁界が及ばないようにして、データの読取性能が低下するのを回避することができる。
【００４９】
（第４実施形態）
次に、本発明の第４実施形態について説明する。なお、第４実施形態におけるカードリーダの電気的構成については、図１と同じであるので、説明を省略する。
【００５０】
図１０は、第４実施形態によるカードリーダを示している。図１０では、図６におけるループアンテナ３７に、フェライトや鉄のような透磁率の高い材料からなる磁性体３８が挿入されている。その他の構成に関しては、図６と同じであるので、重複部分の説明を省略する。
【００５１】
図１１は、第４実施形態における妨害磁界の分布を示している。磁界発生部８からは、常時、破線で示す１次妨害磁界が発生している。この１次妨害磁界は、一種の導波路となる磁性体３８に導かれて、前方（Ｘ方向）へ延び、不正読取装置３００に作用する。また、１次妨害磁界がループアンテナ３７と鎖交することにより、ループアンテナ３７において、電磁誘導により、一点鎖線で示す２次妨害磁界が発生する。そして、この２次妨害磁界も不正読取装置３００に作用する。このため、不正読取装置３００には、磁界発生部８で発生した１次妨害磁界と、ループアンテナ３７で発生した２次妨害磁界の両方が作用することになる。したがって、カード２１のデータが不正に取得されるのをより効果的に防止することができる。
【００５２】
なお、磁気データ読取用の磁気ヘッド２９に対する１次妨害磁界の影響、および磁気ストライプ検出用の磁気ヘッド３４に対する１次妨害磁界の影響については、第１実施形態の場合と同じである。
【００５３】
また、ここでは、電磁誘導により２次妨害磁界を発生させる例を挙げたが、磁気共鳴より２次妨害磁界を発生させる場合にも、第４実施形態は適用が可能である。
【００５４】
このように、第４実施形態においては、磁界発生部８の前方にループアンテナ３７および磁性体３８を設けたことにより、１次妨害磁界が磁性体３８を介して前方へ偏在するとともに、ループアンテナ３７において２次妨害磁界が発生する。この結果、不正読取装置３００に対して１次妨害磁界と２次妨害磁界の両方を作用させることができ、より強い妨害磁界を作用させることで、スキミングを一層確実に防止することができる。また、カードリーダ１内の磁気ヘッド２９に対しては、妨害磁界が及ばないようにして、データの読取性能が低下するのを回避することができる。
【００５５】
（第５実施形態）
次に、本発明の第５実施形態について説明する。なお、第５実施形態におけるカードリーダの電気的構成については、図１と同じであるので、説明を省略する。
【００５６】
図１２（ａ）は、第５実施形態によるカードリーダを示している。図１２（ａ）では、磁気ヘッド２９と対向して、カード２１を磁気ヘッド２９に押圧するためのローラ２７aが設けられている。このローラ２７aは、図１２（ｂ）に示すように、コア部材２７ｂと、その外周を覆うゴムなどの被覆部材２７ｃとから構成される。そして、コア部材２７ｂはフェライトや鉄のような透磁率の高い材料からなる。すなわち、本実施形態では、ローラ２７aの一部が磁性体となっている。
【００５７】
図１３は、第５実施形態における妨害磁界の分布を示している。磁界発生部８からは、常時、破線で示す妨害磁界が発生している。この妨害磁界は、強度が強いため、前方（Ｘ方向）へ延びて、不正読取装置３００に作用する。このため、不正読取装置３００によりカード２１のデータが不正に取得されるのを防止することができる。
【００５８】
一方、磁界発生部８で発生した妨害磁界は、強度が強いことから、後方（Ｙ方向）へも延びる。しかるに、磁気ヘッド２９と対向するローラ２７aのコア部材２７ｂが磁性体であるため、後方に延びる妨害磁界の上半分は、ローラ２７aに集約され、磁気ヘッド２９には及ばない。また、後方に延びる妨害磁界の下半分は、磁気ヘッド２９の下方にあり、磁気ヘッド２９には及ばない。このため、磁気ヘッド２９は、妨害磁界に影響されずにカード２１のデータを読み取ることができる。
【００５９】
このように、第５実施形態においては、磁気ヘッド２９と対向して磁性体が設けられているので、磁界発生部８の後方に存在する妨害磁界（上半分）は、磁性体に向けて偏在することとなる。この結果、スキミング防止のために妨害磁界を強くしても、磁気ヘッド２９に対して妨害磁界が及ばないので、データの読取性能が低下するのを回避することができる。
【００６０】
（第６実施形態）
次に、本発明の第６実施形態について説明する。なお、第６実施形態におけるカードリーダの電気的構成については、図１と同じであるので、説明を省略する。
【００６１】
図１４（ａ）は、第６実施形態によるカードリーダの要部を示している。第６実施形態では、第５実施形態（図１２）のローラ２７ａに代えて、磁気ヘッド２９と対向する磁性体４０が設けられている。この磁性体４０は、フェライトや鉄のような透磁率の高い材料からなる。
【００６２】
このように、磁気ヘッド２９と対向して磁性体４０を設けた場合も、磁界発生部８の後方に存在する妨害磁界は、破線で示すように、磁性体４０に向けて偏在する。このため、第５実施形態と同様に、スキミング防止のために妨害磁界を強くしても、磁気ヘッド２９に対して妨害磁界が及ばないので、データの読取性能が低下するのを回避することができる。
【００６３】
図１４（ａ）では、磁気ヘッド２９の片側に磁性体４０が設けられているが、図１４（ｂ）に示すように、磁気ヘッド２９の両側に磁性体４０ａ、４０ｂを設けてもよい。また、図１２において、磁気ヘッド２９の下側に、図１４（ｂ）の磁性体４０ｂを設けてもよい。このようにすれば、図１３における下半分の妨害磁界が磁気ヘッド２９に及ぶのを、下側の磁性体４０ｂによって効果的に阻止することができる。
【００６４】
なお、図１２および図１４においては、磁気ヘッド２９と対向する位置に磁性体を設けたが、磁性体の位置は、磁気ヘッド２９と対向する位置だけに限らず、磁気ヘッド２９の近傍の位置であればよい。
【００６５】
（第７実施形態）
図１５は、本発明の第７実施形態を示している。第７実施形態は、第１実施形態（図２）と、第５実施形態（図１２）とを組み合わせたものである。すなわち、磁界発生部８の前方には、磁性体３６が設けられるとともに、磁界発生部８の後方には、磁気ヘッド２９と対向して磁性体を含むローラ２７ａが設けられる。その他の構成に関しては、図２および図１２と同じであるので、重複部分の説明を省略する。
【００６６】
第７実施形態によれば、磁界発生部８で発生した妨害磁界が、磁性体３６を介して前方へ偏在することで、不正読取装置３００に強い妨害磁界が作用してスキミングを防止することができ、また、後方の妨害磁界が、ローラ２７ａに向けて偏在することで、磁気ヘッド２９に妨害磁界が及ばなくなり、データの読取性能が低下するのを回避することができる。
【００６７】
（第８実施形態）
図１６は、本発明の第８実施形態を示している。第８実施形態は、第１実施形態（図２）と、第６実施形態（図１４（ａ））とを組み合わせたものである。すなわち、磁界発生部８の前方には、磁性体３６が設けられるとともに、磁界発生部８の後方には、磁気ヘッド２９と対向して磁性体４０が設けられる。その他の構成に関しては、図２および図１４（ａ）と同じであるので、重複部分の説明を省略する。
【００６８】
第８実施形態によれば、磁界発生部８で発生した妨害磁界が、磁性体３６を介して前方へ偏在することで、不正読取装置３００に強い妨害磁界が作用してスキミングを防止することができ、また、後方の妨害磁界が、磁性体４０に向けて偏在することで、磁気ヘッド２９に妨害磁界が及ばなくなり、データの読取性能が低下するのを回避することができる
【００６９】
なお、第８実施形態の変形例として、図２と、図１４（ｂ）との組み合わせも可能である。
【００７０】
（第９実施形態）
図１７は、本発明の第９実施形態を示している。第９実施形態は、第２実施形態または第３実施形態（いずれも図６）と、第５実施形態（図１２）とを組み合わせたものである。すなわち、磁界発生部８の前方には、ループアンテナ３７が設けられるとともに、磁界発生部８の後方には、磁気ヘッド２９と対向して磁性体を含むローラ２７ａが設けられる。その他の構成に関しては、図６および図１２と同じであるので、重複部分の説明を省略する。
【００７１】
第９実施形態によれば、磁界発生部８で発生した妨害磁界が、見掛け上、ループアンテナ３７を介して前方へ偏在することで、不正読取装置３００に強い妨害磁界が作用してスキミングを防止することができ、また、後方の妨害磁界が、ローラ２７ａに向けて偏在することで、磁気ヘッド２９に妨害磁界が及ばなくなり、データの読取性能が低下するのを回避することができる。
【００７２】
なお、第９実施形態の変形例として、第４実施形態（図１０）と、第５実施形態（図１２）との組み合わせも可能である。
【００７３】
（第１０実施形態）
図１８は、本発明の第１０実施形態を示している。第１０実施形態は、第２実施形態または第３実施形態（いずれも図６）と、第６実施形態（図１４（ａ））とを組み合わせたものである。すなわち、磁界発生部８の前方には、ループアンテナ３７が設けられるとともに、磁界発生部８の後方には、磁気ヘッド２９と対向して磁性体４０が設けられる。その他の構成に関しては、図６および図１４（ａ）と同じであるので、重複部分の説明を省略する。
【００７４】
第１０実施形態によれば、磁界発生部８で発生した妨害磁界が、見掛け上、ループアンテナ３７を介して前方へ偏在することで、不正読取装置３００に強い妨害磁界が作用してスキミングを防止することができ、また、後方の妨害磁界が、磁性体４０に向けて偏在することで、磁気ヘッド２９に妨害磁界が及ばなくなり、データの読取性能が低下するのを回避することができる。
【００７５】
なお、第１０実施形態の変形例として、図６と図１４（ｂ）との組み合わせも可能である。また、図１０と図１４（ａ）との組み合わせ、および、図１０と図１４（ｂ）との組み合わせも可能である。
【００７６】
（その他の実施形態）
本発明では、以上述べた実施形態以外にも、種々の実施形態を採用することができる。
【００７７】
例えば、以上述べた各実施形態においては、磁界発生部８を、鉄心と、これに巻回されたコイルとから構成したが、本発明における磁界発生部８はこれのみに限定されない。例えば、磁界発生部８をループアンテナにより構成してもよい。
【００７８】
また、図２や図６においては、磁界発生部８の前方に設けられる磁性体３６やループアンテナ３７が、パネル２００側に取り付けられる例を挙げたが、カードリーダの構造によっては、磁性体３６やループアンテナ３７を、カードリーダ側に設けてもよい。
【００７９】
また、ループアンテナ３７を設ける実施形態においては、ループアンテナ３７が発生する妨害磁界（２次妨害磁界）の周波数ｆ２を、磁界発生部８が発生する妨害磁界（１次妨害磁界）の周波数ｆ１より低い周波数としてもよい。この場合には、ループアンテナ３７に周波数変換回路が付設される。このようにすると、ループアンテナ３７からは、妨害に適した（フィルタリングが困難な）低周波の磁界が発生するので、スキミングを効果的に防止することができる。また、磁界発生部８からは、遠距離まで伝播が可能な高周波の磁界が発生するので、ループアンテナ３７と磁界発生部８との距離が長くても、磁界発生部８からループアンテナ３７へ確実に磁界を伝達することができる。
【００８０】
また、以上の説明では、カード２１が挿入される場合のスキミング対策について述べたが、磁界発生部８から妨害磁界が常時発生していることから、カード２１が返却される場合にも、スキミングを防止することができる。
【００８１】
なお、妨害磁界を常時発生させることは、本発明にとって必須ではなく、妨害磁界に休止期間を設けるようにしてもよい。
【００８２】
また、以上の説明では、パネル２００の前面に取り付けられた不正読取装置３００に対するスキミングと、磁気ストライプ検出用の磁気ヘッド３４に対するスキミングの各対策について述べた。一方、磁気データ読取用の磁気ヘッド２９に対するスキミング対策としては、例えば、磁気ヘッド２９で読み取ったデータを暗号化するなどの対策がとられる。
【００８３】
また、以上の各実施形態においては、磁気記録媒体として、裏面に磁気ストライプのある磁気カードを例に挙げた。しかしながら、本発明は、磁気ストライプが表面もしくは表裏両面にある磁気カードを扱う磁気記録媒体読取装置にも適用することができる。
【００８４】
また、以上の各実施形態においては、磁気記録媒体として磁気カードを例に挙げた。しかしながら、本発明は、磁気カードに限らず、磁気ストライプを有する通帳のような磁気記録媒体を読み取る装置にも適用することができる。
【産業上の利用可能性】
【００８５】
本発明は、ＡＴＭのような自動取引処理装置に搭載されるカードリーダや通帳リーダ、あるいはカード認証端末に搭載されるカードリーダなど、磁気記録媒体を読み取る装置全般に適用することができる。
【符号の説明】
【００８６】
１      カードリーダ
４      カード搬送部
８      磁界発生部
９      磁界制御部
２１    磁気カード
２２    挿入口
２７ａ  ローラ
２９    磁気ヘッド
３６    磁性体
３７    ループアンテナ
３８    磁性体
４０、４０ａ、４０ｂ  磁性体
【図１】
2013030876.tif 000003
【図２】
2013030876.tif 000004
【図３】
2013030876.tif 000005
【図４】
2013030876.tif 000006
【図５】
2013030876.tif 000007
【図６】
2013030876.tif 000008
【図７】
2013030876.tif 000009
【図８】
2013030876.tif 000010
【図９】
2013030876.tif 000011
【図１０】
2013030876.tif 000012
【図１１】
2013030876.tif 000013
【図１２】
2013030876.tif 000014
【図１３】
2013030876.tif 000015
【図１４】
2013030876.tif 000016
【図１５】
2013030876.tif 000017
【図１６】
2013030876.tif 000018
【図１７】
2013030876.tif 000019
【図１８】
2013030876.tif 000020
【図１９】
2013030876.tif 000021
【国際調査報告】
2013030876.tif 000022
2013030876.tif 000023